(57)【要約】【課題】球体と、球体を転動させる皿と、球体が皿の面で転動するように球体を摺擦回転可能に保持する球体保持器とが備えられた摩擦転がり免震支承装置において、球体保持器と球体との局所的焼き付きを防ぐ。【解決手段】球体保持器４が、転動する球体２の上面側に環状に接触して球体２を保持する皿バネ９を備え、球体２の転動回転中、球体２と皿バネ９とが環状接触状態を維持しながら摺擦しあうようになされている。【選択図】      図１
2006283888.tif 000002
【特許請求の範囲】
【請求項１】
球体と、
球体を転動させる皿と、
球体が前記皿の面で転動するように球体を摺擦回転可能に保持する球体保持器と
が備えられ、球体保持器が上部構造部と下部構造部のいずれか一方に取り付けられ、皿がもう一方に取り付けられて、上部構造部を球体を介して下部構造部に支承するようになされた摩擦転がり免震支承装置において、
前記球体保持器が、転動する球体の上面側又は下面側に環状に接触して球体を保持する環状部を備え、球体の転動回転中、球体と環状部とが環状接触状態を維持しながら摺擦しあうようになされていることを特徴とする摩擦転がり免震支承装置。
【請求項２】
前記球体保持器の環状部が、上下方向に伸縮するバネからなっている請求項１に記載の摩擦転がり免震支承装置。
【請求項３】
前記球体保持器の環状部が、同心状態に複数備えられ、各環状部が球体と環状に接触している請求項２に記載の摩擦転がり免震支承装置。
【請求項４】
前記皿の球体転動面が、復元作用を行う凹面状に形成されている請求項２又は３に記載の摩擦転がり免震支承装置。
【発明の詳細な説明】
【技術分野】
【０００１】
本発明は、摩擦転がり免震支承装置に関する。
【背景技術】
【０００２】
球体と、球体を転動させる凹球面部を備えた皿と、球体が前記皿の凹球面部で転動するように球体を回転可能に保持する球体保持器とが備えられ、球体保持器が上部構造部と下部構造部のいずれか一方に取り付けられ、皿がもう一方に取り付けられて、上部構造部を球体を介して下部構造部に支承し、球体の転動回転時の球体保持器と球体との摩擦により振動を減衰するようになされた摩擦転がり免震支承装置は、従来より知られている。
【特許文献１】特開平１０−１１５３４５号公報
【発明の開示】
【発明が解決しようとする課題】
【０００３】
しかしながら、従来の摩擦転がり免震支承装置は、球体保持器に球体を保持する凹球面部を設け、該凹球面部と球体とを面接触状態にし、球体の転動回転による球体と球体保持器との摩擦で減衰を行うようになされていたため、球体保持器と球体との間の球体の回転を可能にするための隙間などが原因で、免震中、球体保持器と球体とが局所的な焼き付きを起こしてしまうという問題があった。
【０００４】
本発明は、上記のような問題点に鑑み、球体保持器と球体との局所的焼き付きを防ぐことができる摩擦転がり免震支承装置を提供することを課題とする。
【課題を解決するための手段】
【０００５】
上記の課題は、球体と、
球体を転動させる皿と、
球体が前記皿の面で転動するように球体を摺擦回転可能に保持する球体保持器と
が備えられ、球体保持器が上部構造部と下部構造部のいずれか一方に取り付けられ、皿がもう一方に取り付けられて、上部構造部を球体を介して下部構造部に支承するようになされた摩擦転がり免震支承装置において、
前記球体保持器が、転動する球体の上面側又は下面側に環状に接触して球体を保持する環状部を備え、球体の転動回転中、球体と環状部とが環状接触状態を維持しながら摺擦しあうようになされていることを特徴とする摩擦転がり免震支承装置によって解決される。
【０００６】
この摩擦転がり免震支承装置では、球体の転動回転中、球体と環状部とが環状接触状態を維持しながら摺擦するようになされているので、環状部と球体との環状接触状態での摺擦摩擦力により振動を減衰していくことができるのはもちろん、球体は、皿面での転動による回転中、環状部との環状接触状態を維持しながら環状部と摺擦しあうので、球体と、環状部ひいては球体保持器との局所的な焼き付きの発生を防ぐことができる。
【０００７】
上記の摩擦転がり免震支承装置において、球体保持器の環状部が、上下方向に伸縮するバネからなっている場合は、環状部と球体との環状接触状態をより一層確実なものにすることができて局所的な焼き付きを効果的に防ぐことができると共に、免震時の上部構造部の上下動を環状部が吸収し上部構造部の上下方向の振動を抑制することができ、また、不陸調整効果も得られる。
【０００８】
また、球体保持器の環状部が、上下方向に伸縮するバネからなっていることとの組み合わせにおいて、球体保持器の環状部が、同心状態に複数備えられ、各環状部が球体と環状に接触している場合は、各環状部の協働で球体をしっかりと保持することができると共に、支承状態もしっかりしたものにすることができるのはもちろん、各環状部を球体に確実に環状接触状態にすることができ、環状部の群と球体との局所的な焼き付きの発生を効果的に防ぐことができる。
【０００９】
更に、球体保持器の環状部がバネからなっていることとの組み合わせで、皿の球体転動面が、復元作用を行う凹面状に形成されている場合は、凹面状の転動面を転動する球体の上下動を環状部が吸収し、上部構造部の上下動を抑制ないしはなくすことができる。
【発明の効果】
【００１０】
本発明は、以上のとおりのものであるから、球体保持器と球体との局所的焼き付きを防ぐことができる。
【発明を実施するための最良の形態】
【００１１】
次に、本発明の実施最良形態を図面に基づいて説明する。
【００１２】
図１に示す実施形態の摩擦転がり免震支承装置１において、２は鋼球などからなる球体、３は球体２を転動させる皿、４は球体保持器であり、皿３は、その球体転動面３ａが、復元作用を行う凹円錐面状ないしは凹球面状に形成されて、該転動面３ａを上向きにして基礎等の下部構造部の側に固定状態に取り付けられ、球体保持器４は、建物などの上部構造部６に固定状態に取り付けられ、上部構造部６が球体２を介して下部構造部５に支承されるようになされている。
【００１３】
そして、上記の球体保持器４は、保持器ベース盤部７と、球体２を抜止め状態に保持して隠すカバー部８とを備え、カバー部８内において、保持器ベース盤部７の下面側には、環状部を構成する皿バネ９が、複数個、同心状態にされ互いに間隔をおいて、頂部側を下、基部側を上にするように備えられ、各皿バネ９…が、その基部側を保持器ベース盤部７に拡開規制状態に当接させ、頂部環状部側を球体２の上面側に環状接触させるように備えられている。
【００１４】
上記の摩擦転がり免震支承装置１では、図２に示すように、免震中、皿３の球体転動面３ａ上を球体２が転動回転をすると、球体２は、保持器４内で、皿バネ９…に保持され、皿バネ９…との環状接触状態を維持したまま、皿バネ９…と摺擦し合いながら回転をし、振動が皿バネ９…と球体２との環状接触状態での摺擦摩擦力によって減衰されていき、そして、球体２と皿バネ９とは、その間、環状接触状態を維持し、局所的な焼き付きの発生を防ぐことができる。
【００１５】
しかも、環状部を、上下方向に伸縮する皿バネ９で構成しているで、その弾力性を利用して、環状部と球体２との環状接触状態をより一層確実なものにすることができ、局所的な焼き付きを効果的に防ぐことができると共に、免震時の上部構造部６の上下動を皿バネ９が吸収し上部構造部６の上下方向の振動を抑制することができ、また、不陸調整効果も得られる。
【００１６】
特に、本実施形態では、環状部を、上下方向に伸縮する皿バネ９で構成していることとの組み合わせにおいて、該皿バネ９が同心状態に複数備えられ、各皿バネ９…が球体２と環状に接触するようになされているので、各皿バネ９…の協働で球体２をしっかりと保持することができると共に、支承状態もしっかりしたものにすることができるのはもちろん、各皿バネ９…を球体２に確実に環状接触状態にすることができ、皿バネ９…群と球体２との局所的な焼き付きの発生を効果的に防ぐことができる。
【００１７】
また、皿３の球体転動面３ａが、復元作用を行う凹面状に形成されているが、該転動面３ａを転動する球体２の上下動を皿バネ９…が吸収し、上部構造部６の上下動を抑制ないしはなくすことができる。
【００１８】
以上に、本発明の実施形態を示したが、本発明はこれに限られるものではなく、発明思想を逸脱しない範囲で各種の変更が可能である。例えば、上記の実施形態では、バネから環状部として皿バネ９を用いた場合を示したが、コイル状のバネを用い、該コイル状バネを球体に環状接触させるように備えさせて構成するのもよくて制限はなく、環状部を複数同心状に備えさせる場合も同様である。
【００１９】
また、上記の実施形態では、上下方向に伸縮するバネからなる環状部として、それ自身がバネである皿バネを用いた場合を示したが、その他、例えば、バネ体と環状体とを組み合わせるなど、複数部品の組み合わせで上下方向に伸縮する環状部を構成するようにしてもよい。
【００２０】
また、上記の実施形態では、環状部が複数同心状に備えられ、各環状部がバネからなる場合を示したが、保持器に環状部が一つ備えられたものであってもよいし、環状部一つタイプにおいては、環状部はバネからなっていてもいなくてもよく、バネからなっていない場合であっても、球体との環状接触状態を保つことができて、局所的な焼き付きを有効的に防ぐことが可能である。
【００２１】
更に、上記の実施形態では、皿３が下部構造部５に取り付けられ、球体保持器４が上部構造部６に取り付けられる免震支承装置に構成した場合を示しているが、皿３が上部構造部６に取り付けられ、球体保持器４が下部構造部５に取り付けられる免震支承装置に構成されていてもよい。
【図面の簡単な説明】
【００２２】
【図１】図（イ）は実施形態の摩擦転がり免震支承装置を示す断面正面図、図（ロ）は環状部を構造している皿バネと、球体を分離状態にして示す斜視図である。
【図２】摩擦転がり免震支承装置の免震作動状態を示す断面正面図である。
【符号の説明】
【００２３】
１…免震支承装置
２…球体
３…皿
３ａ…球体転動面
４…球体保持器
５…下部構造部
６…上部構造部
９…皿バネ（環状部）
【図１】
2006283888.tif 000003
【図２】
2006283888.tif 000004